(57)【要約】【課題】他人による閲覧を防止し、広告効果を向上し得るように顧客個人に特化した広告コンテンツを提示する広告提示方法、装置およびプログラムを提供する。【解決手段】顧客に特化した広告コンテンツを広告コンテンツデータベースに格納し、顧客に対して広告コンテンツがあることを通知するための広告案内電子メール７に広告コンテンツの格納場所を示す広告コンテンツ格納場所情報を記載して顧客端末４に送信し、顧客端末４からの広告閲覧要求を広告コンテンツ格納場所情報とともに受信し、この受信した広告コンテンツ格納場所情報に基づき広告コンテンツデータベースから該当する広告コンテンツを取得し、この取得した広告コンテンツを顧客端末４に送信して顧客に提示する。【選択図】図１
2005122311.tif 000002
【特許請求の範囲】
【請求項１】
広告主から供給される広告を顧客に提示する広告提示方法であって、
顧客毎に選択した広告コンテンツを広告コンテンツデータベースに格納し、
前記顧客に対して前記広告コンテンツデータベースに格納された広告コンテンツがあることを通知するための広告案内電子メールに当該広告コンテンツの格納場所を示す広告コンテンツ格納場所情報を記載して顧客端末に送信し、
顧客端末からの広告閲覧要求を前記広告コンテンツ格納場所情報とともに受信したときには、この受信した広告コンテンツ格納場所情報に基づき前記広告コンテンツデータベースから該当する広告コンテンツを取得し、
この取得した広告コンテンツを顧客に提示すべく顧客端末に送信する
ことを特徴とする広告提示方法。
【請求項２】
前記広告案内電子メールに記載されて顧客端末に送信される広告コンテンツ格納場所情報は、少なくともその一部は暗号化された情報であり、
前記広告コンテンツデータベースから該当する広告コンテンツを取得する処理は、暗号化された広告コンテンツ格納場所情報を復号し、この復号された広告コンテンツ格納場所情報に基づき前記広告コンテンツデータベースから該当する広告コンテンツを取得する
ことを特徴とする請求項１記載の広告提示方法。
【請求項３】
前記広告コンテンツを提示された顧客に関する顧客情報、当該広告コンテンツの識別情報、広告コンテンツを顧客に提示した時刻を含む情報を履歴情報として顧客閲覧情報データベースに記録することを特徴とする請求項１記載の広告提示方法。
【請求項４】
広告主から供給される広告を顧客に提示する広告提示装置であって、
顧客毎に選択した広告コンテンツを格納する広告コンテンツデータベースと、
前記顧客に対して広告コンテンツデータベースに格納された広告コンテンツがあることを通知するための広告案内電子メールに当該広告コンテンツの格納場所を示す広告コンテンツ格納場所情報を記載して顧客端末に送信する電子メール送信手段と、
顧客端末からの広告閲覧要求を前記広告コンテンツ格納場所情報とともに受信する広告閲覧要求受信手段と、
この受信した広告コンテンツ格納場所情報に基づき前記広告コンテンツデータベースから該当する広告コンテンツを取得する広告コンテンツ取得手段と、
この取得した広告コンテンツを顧客に提示すべく顧客端末に送信する広告コンテンツ送信手段と
を有することを特徴とする広告提示装置。
【請求項５】
前記広告案内電子メールに記載されて顧客端末に送信される広告コンテンツ格納場所情報は、少なくとも、その一部は暗号化された情報であり、
前記広告コンテンツ取得手段は、暗号化された広告コンテンツ格納場所情報を復号する復号手段と、この復号された広告コンテンツ格納場所情報に基づき前記広告コンテンツデータベースから該当する広告コンテンツを取得する手段とを有する
ことを特徴とする請求項４記載の広告提示装置。
【請求項６】
前記広告コンテンツを提示された顧客に関する顧客情報、当該広告コンテンツの識別情報、広告コンテンツを顧客に提示した時刻を含む情報を履歴情報として記録する顧客閲覧情報データベースを有することを特徴とする請求項４記載の広告提示装置。
【請求項７】
広告主から供給される広告を顧客に提示するためのコンピュータが実行可能な広告提示プログラムであって、
前記コンピュータに
顧客毎に選択した広告コンテンツを広告コンテンツデータベースに格納する手順と、
前記顧客に対して広告コンテンツデータベースに格納された広告コンテンツがあることを通知するための広告案内電子メールに広告コンテンツの格納場所を示す広告コンテンツ格納場所情報を記載して顧客端末に送信する手順と、
顧客端末からの広告閲覧要求を前記広告コンテンツ格納場所情報とともに受信する手順と、
この受信した広告コンテンツ格納場所情報に基づき前記広告コンテンツデータベースから該当する広告コンテンツを取得する手順と、
この取得した広告コンテンツを顧客に提示すべく顧客端末に送信する手順と
を実行させることを特徴とする広告提示プログラム。
【請求項８】
前記広告案内電子メールに記載されて顧客端末に送信される広告コンテンツ格納場所情報は、少なくとも、その一部は暗号化された情報であり、
前記広告コンテンツデータベースから該当する広告コンテンツを取得する手順は、暗号化された広告コンテンツ格納場所情報を復号し、この復号された広告コンテンツ格納場所情報に基づき前記広告コンテンツデータベースから該当する広告コンテンツを取得する
ことを特徴とする請求項７記載の広告提示プログラム。
【請求項９】
前記広告コンテンツを提示された顧客に関する顧客情報、当該広告コンテンツの識別情報、広告コンテンツを顧客に提示した時刻を含む情報を履歴情報として顧客閲覧情報データベースに記録する手順を前記コンピュータに実行させる手順として更に有することを特徴とする請求項７記載の広告提示プログラム。
【発明の詳細な説明】
【技術分野】
【０００１】
本発明は、広告主から顧客に特化した広告を提示する広告提示方法、装置およびプログラムに関する。
【背景技術】
【０００２】
インターネットを用いて種々の広告が行なわれているが、この種の従来のインターネット広告は、広告主が電子メールによって広告コンテンツを顧客端末に送付する方式のものである（例えば、非特許文献１参照）。この従来のインターネット広告方式は、顧客個人に特化した広告コンテンツを送付することができ、各顧客毎にきめ細かい広告を行うことができる。
【非特許文献１】キーマンズネット、おすすめ製品情報<URL;http://www.keyman.or.jp/>(2003年10月14日)
【発明の開示】
【発明が解決しようとする課題】
【０００３】
上述した従来のインターネット広告は、メールを受け取った顧客が他人の広告コンテンツを閲覧する可能性があったり、またはメールを他人に傍受される可能性があるため、個人のプライバシに関する情報を広告に登載することが難しいという問題があるとともに、また広告内容を電子メールで送付するため、広告内容が顧客によって閲覧されたかどうかを確認することが困難であるという問題がある。
【０００４】
本発明は、上記に鑑みてなされたもので、その目的とするところは、他人による閲覧を防止し、広告効果を向上し得るように顧客個人に特化した広告コンテンツを提示する広告提示方法、装置およびプログラムを提供することにある。
【課題を解決するための手段】
【０００５】
請求項１記載の本発明の広告提示方法は、広告主から供給される広告を顧客に提示する広告提示方法であって、顧客毎に選択した広告コンテンツを広告コンテンツデータベースに格納し、前記顧客に対して広告コンテンツデータベースに格納された広告コンテンツがあることを通知するための広告案内電子メールに当該広告コンテンツの格納場所を示す広告コンテンツ格納場所情報を記載して顧客端末に送信し、顧客端末からの広告閲覧要求を前記広告コンテンツ格納場所情報とともに受信し、この受信した広告コンテンツ格納場所情報に基づき前記広告コンテンツデータベースから該当する広告コンテンツを取得し、この取得した広告コンテンツを顧客に提示すべく顧客端末に送信することを要旨とする。
【０００６】
請求項２記載の本発明の広告提示方法では、前記広告案内電子メールに記載されて顧客端末に送信される広告コンテンツ格納場所情報は、少なくとも、その一部は暗号化された情報であり、前記広告コンテンツデータベースから該当する広告コンテンツを取得する処理は、暗号化された広告コンテンツ格納場所情報を復号し、この復号された広告コンテンツ格納場所情報に基づき前記広告コンテンツデータベースから該当する広告コンテンツを取得することを要旨とする。
【０００７】
請求項３記載の本発明の広告提示方法は、前記広告コンテンツを提示された顧客に関する顧客情報、当該広告コンテンツの識別情報、広告コンテンツを顧客に提示した時刻を含む情報を履歴情報として顧客閲覧情報データベースに記録することを要旨とする。
【０００８】
請求項４記載の本発明の広告提示装置は、広告主から供給された広告を顧客に提示する広告提示装置であって、顧客毎に選択した広告コンテンツを格納する広告コンテンツデータベースと、前記顧客に対して広告コンテンツデータベースに格納された広告コンテンツがあることを通知するための広告案内電子メールに当該広告コンテンツの格納場所を示す広告コンテンツ格納場所情報を記載して顧客端末に送信する電子メール送信手段と、顧客端末からの広告閲覧要求を前記広告コンテンツ格納場所情報とともに受信する広告閲覧要求受信手段と、この受信した広告コンテンツ格納場所情報に基づき前記広告コンテンツデータベースから該当する広告コンテンツを取得する広告コンテンツ取得手段と、この取得した広告コンテンツを顧客に提示すべく顧客端末に送信する広告コンテンツ送信手段とを有することを要旨とする。
【０００９】
請求項５記載の本発明の広告提示装置では、前記広告案内電子メールに記載されて顧客端末に送信される広告コンテンツ格納場所情報は、暗号化された情報であり、前記広告コンテンツ取得手段は、暗号化された広告コンテンツ格納場所情報を復号する復号手段と、この復号された広告コンテンツ格納場所情報に基づき前記広告コンテンツデータベースから該当する広告コンテンツを取得する手段とを有することを要旨とする。
【００１０】
請求項６記載の本発明の広告提示装置は、前記広告コンテンツを提示された顧客に関する顧客情報、当該広告コンテンツの識別情報、広告コンテンツを顧客に提示した時刻を含む情報を履歴情報として記録する顧客閲覧情報データベースを有することを要旨とする。
【００１１】
請求項７記載の本発明の広告提示プログラムは、広告主から供給される広告を顧客に提示するためのコンピュータが実行可能な広告提示プログラムであって、前記コンピュータに、顧客毎に選択した広告コンテンツを広告コンテンツデータベースに格納する手順と、前記顧客に対して広告コンテンツデータベースに格納された広告コンテンツがあることを通知するための広告案内電子メールに当該広告コンテンツの格納場所を示す広告コンテンツ格納場所情報を記載して顧客端末に送信する手順と、顧客端末からの広告閲覧要求を前記広告コンテンツ格納場所情報とともに受信する手順と、この受信した広告コンテンツ格納場所情報に基づき前記広告コンテンツデータベースから該当する広告コンテンツを取得する手順と、この取得した広告コンテンツを顧客に提示すべく顧客端末に送信する手順とを実行させることを要旨とする。
【００１２】
請求項８記載の本発明の広告提示プログラムでは、前記広告案内電子メールに記載されて顧客端末に送信される広告コンテンツ格納場所情報は、少なくとも、その一部は暗号化された情報であり、前記広告コンテンツデータベースから該当する広告コンテンツを取得する手順は、暗号化された広告コンテンツ格納場所情報を復号し、この復号された広告コンテンツ格納場所情報に基づき前記広告コンテンツデータベースから該当する広告コンテンツを取得することを要旨とする。
【００１３】
請求項９記載の本発明の広告提示プログラムは、前記広告コンテンツを提示された顧客に関する顧客情報、当該広告コンテンツの識別情報、広告コンテンツを顧客に提示した時刻を含む情報を履歴情報として顧客閲覧情報データベースに記録する手順を前記コンピュータに実行させる手順として更に有することを要旨とする。
【発明の効果】
【００１４】
本発明によれば、顧客に対して広告コンテンツがあることを通知するための広告案内電子メールに広告コンテンツの格納場所を示す広告コンテンツ格納場所情報を記載して顧客端末に送信し、顧客端末からの広告閲覧要求を広告コンテンツ格納場所情報とともに受信すると、この広告コンテンツ格納場所情報に基づき広告コンテンツデータベースから該当する広告コンテンツを取得し、この広告コンテンツを顧客端末に送信して顧客に提示するので、この顧客に提示した広告コンテンツを従来のように他人が閲覧することを防止することができ、広告コンテンツに顧客の個人情報を安心して含めることができ、広告効果を一層向上することができる。
【００１５】
本発明によれば、広告コンテンツ格納場所情報は暗号化され、この暗号化された広告コンテンツ格納場所情報を復号して広告コンテンツをデータベースから取得しているので、他人による広告コンテンツの閲覧を更に高い精度を持って防止することができる。
【００１６】
本発明によれば、広告コンテンツを提示した顧客の顧客情報、広告コンテンツ識別情報、顧客への広告コンテンツの提示時刻を含む情報を履歴情報として顧客閲覧情報データベースに記録するので、この履歴情報に基づき各広告コンテンツがどの程度閲覧されたかなどの広告コンテンツの閲覧状況や、広告コンテンツを閲覧した顧客の属性と閲覧率、閲覧時刻などとの関係などを取得でき、広告主に提供することができるとともに、また今後の広告実施の際に広告効果を向上させるための有益な情報とすることができる。
【００１７】
本発明によれば、広告提示方法を広告提示プログラムとして例えば記録媒体などに記録してコンピュータに実行させるので、該記録媒体を用いて、その流通性を高めることができる。
【発明を実施するための最良の形態】
【００１８】
以下、図面を用いて、本発明を実施するための最良の形態（以下、実施形態と称する）を説明する。
【００１９】
図１は、本発明の一実施形態に係わる広告提示方法を実施するシステム構成を示すブロック図である。同図に示す実施形態の広告提示システムは、広告主から広告主端末３を介して供給される広告コンテンツや顧客情報を受け取る方法提示装置を構成するコンピュータ１を有する。このコンピュータ１には例えばインターネットなどの通信網２を介して複数の顧客端末４が接続され、この顧客端末４に対して広告主からの顧客に特化した広告コンテンツをコンピュータ１から提示するようになっている。なお、広告主端末３は、図示のようにコンピュータ１に直接接続されてもよいし、または図示しないインターネットなどのネットワークを介して接続されてもよい。また、図１では、広告主端末３は１台のみ図示されているが、複数接続されてもよいものである。
【００２０】
ここで、各部の構成および作用について詳しく説明する前に、本実施形態の広告提示方法について概略的に説明すると、コンピュータ１は、広告主端末３から顧客に特化した広告コンテンツおよび顧客情報を受け取り、広告コンテンツを広告コンテンツデータベースに格納し、また顧客情報を顧客情報データベースに登録する。
【００２１】
コンピュータ１は、顧客に特化した広告コンテンツがあることを案内するための広告案内電子メール７に広告コンテンツの格納場所を示す広告コンテンツ格納場所情報（例えばＵＲＬ；Ｕｎｉｆｏｒｍ  Ｒｅｓｏｕｒｃｅ  Ｌｏｃａｔｏｒ）を記載し、この広告案内電子メール７を通信網２を介して顧客端末４に送信する。なお、広告案内電子メール７に記載された広告コンテンツ格納場所情報は、暗号化された情報として、顧客端末４に送信される。
【００２２】
顧客端末４は、暗号化された広告コンテンツ格納場所情報の記載された広告案内電子メール７を受信すると、広告閲覧要求を暗号化広告コンテンツ格納場所情報とともに通信網２を介してコンピュータ１に送信する。コンピュータ１は、顧客端末４から広告閲覧要求を暗号化広告コンテンツ格納場所情報とともに受信すると、この受信した暗号化広告コンテンツ格納場所情報を復号し、この復号された広告コンテンツ格納場所情報に基づき広告コンテンツデータベースから該当する広告コンテンツを取得し、この取得した広告コンテンツを顧客端末４に提示する。
【００２３】
次に、各部について詳しく説明する。コンピュータ１は、詳しくは、図２に示すように、広告提示制御や全体の制御などの手順を記述したプログラム１０９ａや各種情報を記憶する主記憶部１０９、この主記憶部１０９に記憶されたプログラム１０９ａなどに従って広告提示制御や全体の制御などを行なう制御演算部１０５、各種情報を入力する入力部１０１、出力情報を表示する出力表示部１０３、通信網２を介してデータの送受信を行うための送受信部１０７、顧客情報を格納する顧客情報データベース（ＤＢ）１３、広告コンテンツ格納する広告コンテンツデータベース（ＤＢ）１５、顧客が閲覧した広告コンテンツの広告コンテンツＩＤ、顧客ＩＤ、閲覧日時情報、顧客の電子メールアドレスなどを履歴情報として格納する顧客閲覧情報データベース（ＤＢ）１７、顧客からの要望を格納する顧客要望データベース（ＤＢ）１９、および顧客に提示する広告コンテンツの格納場所情報、広告案内電子メール７の配信日時情報、顧客の電子メールアドレスなどを格納する各顧客向け広告配信データベース（ＤＢ）２１から構成されている。
【００２４】
また、制御演算部１０５は、顧客向けの広告案内電子メール７を作成して顧客端末４に送信する顧客向けメール作成・送信部１１３、広告コンテンツにアクセスする顧客を認証する顧客認証部１１５、広告コンテンツを広告コンテンツデータベース１５に格納するように管理したり、顧客端末４への広告コンテンツを管理する広告コンテンツ管理部１１７、顧客が閲覧した広告コンテンツの広告コンテンツＩＤ、顧客ＩＤ、閲覧日時情報、顧客の電子メールアドレスなどを履歴情報として顧客閲覧情報データベース１７に格納するように管理する顧客閲覧情報管理部１１９、顧客端末４からの顧客の要望を顧客要望データベース１９に格納するように管理する顧客情報管理部１２１、およびこれらの全体的制御を行なうＣＰＵ１１１から構成されている。
【００２５】
次に、上述したように構成される本実施形態の作用について説明する。まず、広告主は、広告主端末３からコンピュータ１に対して広告コンテンツを提示したい顧客の名前、電子メールアドレス、住所、勤務先、生年月日、その他の項目などの顧客情報を入力部１０１を介して入力する。コンピュータ１は、制御演算部１０５において入力部１０１を介して広告主端末３からの顧客情報を受け取ると、各顧客毎に一意な顧客ＩＤを付与し、この顧客１Ｄおよび入力された顧客情報をＣＰＵ１１１の制御により顧客情報データベース１３に格納する。
【００２６】
この結果、顧客情報データベース１３には、図３に示すように、顧客ＩＤ、名前、電子メールアドレス、住所、勤務先、生年月日、その他項目などの顧客情報が格納される。
【００２７】
また、広告主は、広告主端末３から各顧客に特化した広告コンテンツをコンピュータ１に入力する。コンピュータ１は、この広告主端末３から入力された各顧客に特化された広告コンテンツを受け取ると、この広告コンテンツに対して制御演算部１０５の広告コンテンツ管理部１１７で該広告コンテンツを一意に特定するための広告コンテンツＩＤを割り当て、該広告コンテンツＩＤとともに制御演算部１０５の制御のもとに広告コンテンツデータベース１５に格納する。
【００２８】
この結果、広告コンテンツデータベース１５には、図４に示すように、広告コンテンツ毎に一意に割り当てられた広告コンテンツＩＤ、広告コンテンツで使用される画像のファイル名、広告コンテンツとともに顧客に通知されるメッセージ、各画像ファイルの配置情報、広告コンテンツの格納場所情報などの広告コンテンツ情報が格納される。なお、最後に記載した広告コンテンツの格納場所情報は、上述した広告コンテンツの各情報を広告コンテンツデータベース１５に格納するにあたり、広告コンテンツ管理部１１７によって決定され、広告コンテンツデータベース１５に上述した広告コンテンツの各情報とともに格納されるものである。また、これらの広告コンテンツ情報は例えばＨＴＭＬを用いて実現される。
【００２９】
上述したように、顧客情報および広告コンテンツがそれぞれ顧客情報データベース１３および広告コンテンツデータベース１５に格納されると、次に広告主は、広告コンテンツを提示する顧客の顧客ＩＤ、この顧客に提示する広告コンテンツの広告コンテンツＩＤ、広告案内電子メール７を顧客に配信する配信日時情報などを広告主端末３から入力部１０１を介してコンピュータ１の制御演算部１０５に入力する。制御演算部１０５は、これらの入力情報を各顧客向け広告配信データベース２１に格納するとともに、入力された広告コンテンツＩＤに基づき広告コンテンツデータベース１５から広告コンテンツの格納場所情報を取得し、この広告コンテンツ格納場所情報も各顧客向け広告配信データベース２１に格納し、更に入力部１０１から受け取った顧客ＩＤに基づき顧客情報データベース１３を検索し、この顧客ＩＤに該当する顧客の電子メールアドレス、および顧客の例えば生年月日などの個人情報などを取得し、各顧客向け広告配信データベース２１に格納する。
【００３０】
この結果、各顧客向け広告配信データベース２１には、図５に示すように、顧客ＩＤ、広告コンテンツＩＤ、広告案内電子メール７の配信日時、広告コンテンツ格納場所情報、顧客の電子メールアドレス、顧客の個人情報などが格納される。
【００３１】
上述したように、各顧客向け広告配信データベース２１に顧客ＩＤ、広告コンテンツＩＤ、広告案内電子メール７の配信日時情報などが格納されると、コンピュータ１の制御演算部１０５の顧客向けメール作成・送信部１１３は、この各顧客向け広告配信データベース２１に格納された広告案内電子メール７の配信日時情報を監視し、この配信日時情報に合わせて、顧客に送信する広告案内電子メール７、すなわち顧客に対して広告主から広告がある旨のメッセージと顧客に提示する広告コンテンツの格納場所情報の少なくとも一部を暗号化した文字列などを記載した広告案内電子メール７を作成し、各顧客向け広告配信データベース２１に格納されている広告案内電子メール７の配信日時に当該広告案内電子メール７の顧客の電子メールアドレスに配信する。
【００３２】
この顧客の電子メールアドレスに配信される広告案内電子メール７には、図６に示すように、配信元の広告主の名前、配信相手である顧客の名前、「広告主からの広告です」という主題、および広告を閲覧するためのアクセス先である広告コンテンツ格納場所情報の記載されたメッセージ、具体的には「顧客様：顧客様へのメッセージがあります。ＵＲＬ=http://www.xx.jp/xx/xyzabc123にアクセスしてください」というメッセージが記載されている。なお、このＵＲＬは、広告コンテンツ格納場所を示す情報を含んだ情報であり、この広告コンテンツ格納場所情報は一部、例えばファイル名のみが暗号化されている。
【００３３】
このＵＲＬは、図７に示すように、顧客がコンピュータ１にアクセスした場合にＣＰＵ１１１で起動される駆動プログラムのファイル名を示すＵＲＬ、特定文字、および広告コンテンツデータベース１５内の広告コンテンツの格納場所を暗号化した文字列から構成されている。特定文字の「？」は、認証プログラムのファイル名を示すＵＲＬ広告コンテンツ格納場所を暗号化した文字列とを結合するためのものであり、この特定文字の後の「xyzabc123」が広告コンテンツ格納場所を暗号化した文字列である。ここで特定文字として「？」を一例としてあげたが任意の文字・符号等であっても良いのはいうまでも無い。また、暗号方式としては、後述するような暗号化された文字を復号する場合の他、テーブルを用いて対照し、対応するファイル名を出力するものであっても良く、さらには乱数を用いてファイル名の類推を困難にしただけのものであってもよい。
【００３４】
このように暗号化された広告コンテンツ格納場所情報をふくんだ広告案内電子メール７を受信した顧客は、広告案内電子メール７で案内された広告コンテンツを閲覧したい場合には、顧客端末４からコンピュータ１にアクセスし、通信網２を介して広告閲覧要求を暗号化広告コンテンツ格納場所情報とともにコンピュータ１に送信する。コンピュータ１においては、顧客端末４からのアクセスを受け付けると、顧客駆動部１１５が顧客情報データベース１３に格納されている顧客情報に基づきアクセスした顧客が本人であるか否かの認証を必要に応じて行ない、アクセスした顧客が本人であることを認証すると、顧客の個人情報を含む広告コンテンツを出力表示部１０３に表示する。なお、認証は、例えば顧客情報に予めパスワードを登録しておき、顧客がパスワードを入力することにより実現可能である。なお、広告コンテンツの出力表示部１０３への出力表示は、送受信部１０７を介して例えばＷｅｂインタフェースによってＩＮＳ−ＡＯ機能部４に行うことも可能である。
【００３５】
上述したように、コンピュータ１は、顧客端末４からのアクセスにより広告閲覧要求を暗号化広告コンテンツ格納場所情報とともに受信すると、顧客のアクセスが本人からのものであることを認証すると、コンピュータ１の広告コンテンツ管理部１１７が暗号化された広告コンテンツ格納場所情報を復号する。
【００３６】
なお、この復号は、図７に示すＵＲＬの文字列を例えばApacheなどのＷｅｂサーバで処理し、特定文字より後にある暗号化された広告コンテンツ格納場所情報を分離して特定文字の前にあるＵＲＬで示されるプログラム中で復号することにより実現可能である。
【００３７】
コンピュータ１は、このように復号された広告コンテンツ格納場所に格納されている広告コンテンツを広告コンテンツデータベース１５から取得し、この広告コンテンツを通信網２を介して顧客端末４に送信し顧客に提示する。
【００３８】
この顧客に提示される広告コンテンツは、図８に示すように、顧客個人に特化されたメッセージも表示することが可能である。
【００３９】
上述したように、顧客からのアクセスにより広告コンテンツが顧客に提示されると、この一連の処理は顧客閲覧情報管理部１１９により検知され、この処理における顧客の電子メールアドレス、広告コンテンツ格納場所情報、顧客がアクセスしたアクセス時刻などの情報が取得され、顧客閲覧情報データベース１７に履歴情報として記録される。
【００４０】
また、顧客ＩＤに基づき顧客情報データベース１３から顧客の顧客ＩＤ、住所や生年月日などの付加情報などを取得し、顧客閲覧情報データベース１７に記録するとともに、更に広告コンテンツ格納場所情報に基づき広告コンテンツデータベース１５から広告コンテンツ２誌を取得し、顧客閲覧情報データベース１７に記録する。
【００４１】
図９は、顧客閲覧情報データベース１７に記録された情報の内容を示すが、顧客閲覧情報データベース１７には広告コンテンツにアクセスした顧客の電子メールアドレス、顧客ＩＤ、広告コンテンツ格納場所、広告コンテンツＩＤ、アクセス時刻、住所や生年月日などの付加情報が記録される。
【００４２】
このように顧客閲覧情報データベース１７に記録された情報に基づき各広告コンテンツがどの程度の割合で顧客に閲覧されたかや、各顧客の属性と閲覧率、閲覧時刻などとの関係を把握でき、広告主に提供することができる。
【００４３】
また、顧客情報管理部１２１は、各顧客からの要望を受け付け、顧客要望データベース１９に顧客の個人情報とともに記録することができ、このような記録を広告主に提供することも可能である。
【００４４】
なお、上記実施形態の広告提示方法の処理手順をプログラムとして例えばＣＤやＦＤなどの記録媒体に記録して、この記録媒体をコンピュータシステムに組み込んだり、または記録媒体に記録されたプログラムを通信回線を介してコンピュータシステムにダウンロードしたり、または記録媒体からインストールし、該プログラムでコンピュータシステムを作動させることにより、広告提示方法を実施する装置として機能させることができることは勿論であり、このような記録媒体を用いることにより、その流通性を高めることができるものである。
【図面の簡単な説明】
【００４５】
【図１】本発明の一実施形態に係わる広告提示方法を実施するシステム構成を示すブロック図である。
【図２】図１に示す実施形態に使用されているコンピュータの構成を示すブロック図である。
【図３】図２に示すコンピュータに使用されている顧客情報データベースに格納される各種顧客情報を示す表である。
【図４】図２に示すコンピュータに使用されている広告コンテンツデータベースに格納される広告コンテンツに関する各種情報を示す表である。
【図５】図２に示すコンピュータに使用されている各顧客向け広告配信データベースに格納される各種情報を示す表である。
【図６】図２に示すコンピュータから顧客端末に送信される広告案内電子メールを示す図である。
【図７】図６に示す広告案内電子メールに記載される暗号化された広告コンテンツ格納場所情報を示す図である。
【図８】図１に示す実施形態において顧客端末に提示される広告コンテンツを示す図である。
【図９】図２に示すコンピュータに使用されている顧客閲覧情報データベースに記録される履歴情報を示す表である。
【符号の説明】
【００４６】
１    コンピュータ
２    通信網
３    広告主端末
４    顧客端末
１３    顧客情報データベース
１５    広告コンテンツデータベース
１７    顧客閲覧情報データベース
１９    顧客要望データベース
２１    各顧客向け広告配信データベース
１０１    入力部
１０９    主記憶部
１１１    ＣＰＵ
１１３    顧客向けメール作成・送信部
１１５    顧客認証部
１１７    広告コンテンツ管理部
１１９    顧客閲覧情報管理部
１２１    顧客情報管理部
【図１】
2005122311.tif 000003
【図２】
2005122311.tif 000004
【図３】
2005122311.tif 000005
【図４】
2005122311.tif 000006
【図５】
2005122311.tif 000007
【図６】
2005122311.tif 000008
【図７】
2005122311.tif 000009
【図８】
2005122311.tif 000010
【図９】
2005122311.tif 000011